(57)【要約】【課題】  伝送誤りの発生要因を判別し、その継続時間に応じて、伝送誤りに対する処理を行なうことのできる通信装置を提供する。【解決手段】  隣接する他の電話回線などから侵入する漏話雑音は、継続的に発生し、漏話雑音により生じる伝送誤り量は、時間的にほぼ一定となる。一方、応答信号により生じる伝送誤り量は、応答信号の断続に応じて、時間的に変動する。そのため、制御部２０は、伝送誤り量の時間的な変動を観測して、回線交換手順の発生による伝送誤りか、それ以外の継続的な伝送誤りかを判断する。そして、制御部２０は、回線交換手順の発生を検出すると、現在の通信状態を維持するために、エンコーダ２２への制御指令の出力を抑制する。【選択図】        図３
2006319425.tif 000002
【特許請求の範囲】
【請求項１】
アナログ端末装置と電話交換機とを接続する電話回線を利用して、他の通信装置とデータ通信を行なう通信装置であって、
前記アナログ端末装置と前記電話交換機との間における回線交換手順の発生を検出する検出手段を備える、通信装置。
【請求項２】
伝送誤り量に応じて、伝送速度を抑制または／および前記他の通信装置との接続を遮断する伝送制御手段と、
前記検出手段において前記回線交換手順の発生が検出されたときに前記伝送制御手段の処理が抑制されるための抑制手段とをさらに備える、請求項１に記載の通信装置。
【請求項３】
前記検出手段は、伝送誤り量の時間的な変化に基づいて、前記回線交換手順の発生を検出する、請求項１または２に記載の通信装置。
【請求項４】
前記検出手段は、前記電話回線上の信号を監視することで、前記回線交換手順の発生を検出する、請求項１または２に記載の通信装置。
【請求項５】
前記回線交換手順は、前記電話交換機が前記アナログ端末装置に対する着信を通知する手順、および前記電話交換機が前記アナログ端末装置に対して発信先との接続が完了したことを通知する手順のうち少なくともいずれかを含む、請求項１〜４のいずれか１項に記載の通信装置。
【発明の詳細な説明】
【技術分野】
【０００１】
この発明は電話回線を介してデータ通信を行なう通信装置に関し、特に回線交換手順の発生を検出する通信装置に関するものである。
【背景技術】
【０００２】
近年の情報通信技術の発展に伴い、家庭においても大容量で高品質なインターネット環境に対する要求が高まっている。このような要求に対応するため、既存の電話回線を介してインターネット網と接続するｘＤＳＬ（x Digital Subscriber Line：デジタル加入者線）サービスが急速に普及している。
【０００３】
既存の電話回線は、電話局側の交換機と加入者宅側の電話機とを接続するが、電話交換機は、低い周波数帯域の音声信号だけを通過させるので、高い周波数帯域のデータ信号を重畳しても通話に支障はない。そこで、ｘＤＳＬでは、交換機および電話機が電話回線と接続されるそれぞれの個所にＰＯＴＳ（Plain Old Telephone Service）スプリッタを介挿し、音声信号とデータ信号との分離および混合を行なうことにより、通話およびデータ通信を同時に実現する。
【０００４】
たとえば、特許文献１には、ＡＤＳＬ（Asymmetric Digital Subscriber Line：非対称デジタル加入者線）モデムとアナログ電話機とがスプリッタを介して加入者線に接続される構成が開示されている。
【０００５】
上述のように、ＰＯＴＳスプリッタは、電話回線から受けた信号を周波数帯域に応じて、音声信号とデータ信号とに分離して外部へ送出し、かつ、外部から受けた音声信号とデータ信号とを混合して電話回線へ送出する。
【０００６】
ところで、通話が開始される前には、電話機同士の接続が確立される必要がある。そのため、発信元の電話機は、まず発信先の電話機を特定する選択信号を電話交換機へ送出する。そして、選択信号を受信した電話交換機は、発信先の電話機との接続を確立し、さらに発信先との接続が完了したことを通知する応答信号を発信元の電話機へ送出する。一方、他の電話機からの接続要求を受けた電話交換機は、着信を通知する呼出信号を送信先の電話機へ送出する。そして、送信先の電話機は、着信に応答すると端末応答信号を電話交換機へ送出する。上述のように、電話交換機を介して電話機同士の接続が確立される。このような電話機と電話交換機との間における一連の動作は、回線交換手順と称される。
【特許文献１】特開２００３−１４３２９５号公報
【発明の開示】
【発明が解決しようとする課題】
【０００７】
回線交換手順のうち、たとえば、呼出信号は、電話機を鳴動させるため、電話交換機からの送出電圧が約７５Ｖ（実効値）で、かつ、所定の周期で送出と停止とを繰返す交流の断続信号と定められている。すなわち、呼出信号は、通常の音声信号に比較して電圧が高く、かつ、断続により発生する高調波成分を含む信号である。
【０００８】
そのため、呼出信号は、音声信号とデータ信号とを分離することを目的に設計されたＰＯＴＳスプリッタで完全には分離されず、データ信号に重畳された状態で出力されることがある。このように、データ信号に呼出信号が重畳されると、受信データが正しく復調できず、伝送誤りが生じる。
【０００９】
一般的に、ｘＤＳＬ通信装置では、伝送誤り量が増大すると、通信速度の抑制や回線の再接続などの伝送誤りに対する処理が実行される。
【００１０】
一方、回線交換手順による伝送誤りは、継続的なものではなく、一時的なものである。そのため、所定の時間が経過すれば、回線交換手順は終了し、伝送誤りは発生しない。
【００１１】
しかしながら、従来のｘＤＳＬ通信装置は、伝送誤りの発生要因にかかわらず、伝送誤り量が増大すれば、伝送誤りに対する処理を実行していた。そのため、頻繁に接続が遮断され、通信速度が低下するという問題があった。
【００１２】
そこで、この発明は、かかる問題を解決するためになされたものであり、その目的は、伝送誤りの発生要因を判別し、その継続時間に応じて、伝送誤りに対する処理を行なうことのできる通信装置を提供することである。
【課題を解決するための手段】
【００１３】
この発明によれば、アナログ端末装置と電話交換機とを接続する電話回線を利用して、他の通信装置とデータ通信を行なう通信装置であって、アナログ端末装置と電話交換機との間における回線交換手順の発生を検出する検出手段を備える。
【００１４】
好ましくは、伝送誤り量に応じて、伝送速度を抑制または／および他の通信装置との接続を遮断する伝送制御手段と、検出手段において回線交換手順の発生が検出されたときに伝送制御手段の処理が抑制されるための抑制手段とをさらに備える。
【００１５】
好ましくは、検出手段は、伝送誤り量の時間的な変化に基づいて、前記回線交換手順の発生を検出する。
【００１６】
好ましくは、検出手段は、電話回線上の信号を監視することで、回線交換手順の発生を検出する。
【００１７】
好ましくは、回線交換手順は、電話交換機がアナログ端末装置に対する着信を通知する手順、および電話交換機がアナログ端末装置に対して発信先との接続が完了したことを通知する手順のうち少なくともいずれかを含む。
【発明の効果】
【００１８】
この発明によれば、アナログ端末装置と電話交換機との間における回線交換手順の発生を検出するので、回線交換手順を発生要因とする伝送誤りであるか否かを判別できる。よって、伝送誤りの継続時間を予測して、その継続時間に応じて、伝送誤りに対する処理を実行する通信装置を実現できる。
【発明を実施するための最良の形態】
【００１９】
この発明の実施の形態について、図面を参照しながら詳細に説明する。なお、図中の同一または相当部分については、同一符号を付してその説明は繰返さない。
【００２０】
［実施の形態１］
図１は、この発明の実施の形態１に従うｘＤＳＬシステム１の概略構成図である。
【００２１】
図１を参照して、ｘＤＳＬシステム１は、加入者宅２と、電話局１０とからなり、加入者宅２および電話局１０は、電話回線８を介して接続される。
【００２２】
加入者宅２は、ＰＯＴＳスプリッタ４と、ｘＤＳＬ宅側装置１００と、電話機６とからなる。
【００２３】
ＰＯＴＳスプリッタ４は、電話回線８と電話機６およびｘＤＳＬ宅側装置１００との間に介挿されるように配置される。そして、ＰＯＴＳスプリッタ４は、電話回線８から受けた信号を周波数帯域に応じて、音声信号とデータ信号とに分離して、音声信号を電話機６へ出力し、データ信号をｘＤＳＬ宅側装置１００へ出力する。そして、ＰＯＴＳスプリッタ４は、電話機６から受けた音声信号と、ｘＤＳＬ宅側装置１００から受けたデータ信号とを混合し、電話回線８へ送出する。
【００２４】
電話機６は、ＰＯＴＳスプリッタ４から受けた音声信号を音声に変換してユーザへ出力し、かつ、ユーザから受けた音声を音声信号に変換してＰＯＴＳスプリッタ４へ出力する。そして、電話機６は、電話回線８を介して接続される電話交換機１４との間で、ユーザの発信操作または電話交換機１４からの着信通知に応じて、回線交換手順を行なう。
【００２５】
ｘＤＳＬ宅側装置１００は、パソコンなどと接続され、ＰＯＴＳスプリッタ４から受けたデータ信号をデータに復調してパソコンなどへ出力し、かつ、パソコンなどから受けたデータをデータ信号に変調してＰＯＴＳスプリッタ４へ出力する。
【００２６】
電話局１０は、ＰＯＴＳスプリッタ１２と、ｘＤＳＬ局側装置１０２と、電話交換機１４とからなる。
【００２７】
ＰＯＴＳスプリッタ１２は、上述したＰＯＴＳスプリッタ４と同様であり、電話回線８から受けた信号を分離して、音声信号を電話交換機１４へ出力し、データ信号をｘＤＳＬ局側装置１０２へ出力する。そして、ＰＯＴＳスプリッタ１２は、電話交換機１４から受けた音声信号と、ｘＤＳＬ局側装置１０２から受けたデータ信号とを混合し、電話回線８へ送出する。
【００２８】
電話交換機１４は、交換機回線網に接続され、電話機６からの選択信号を受けて発信先の電話機との接続を確立し、または、他の電話機からの接続要求を受けて着信を通知する呼出信号を送信先の電話機６へ送出する。そして、電話交換機１４は、電話機６と他の電話機との接続が確立すると、ＰＯＴＳスプリッタ１２から受けた音声信号を他の電話機へ送出し、かつ、他の電話機から受けた音声信号をＰＯＴＳスプリッタ１２へ出力する。
【００２９】
ｘＤＳＬ局側装置１０２は、ルータなどを介してインターネット網に接続され、ＰＯＴＳスプリッタ１２から受けたデータ信号をデータに復調してルータへ出力し、ルータなどから受けたデータをデータ信号に変調してＰＯＴＳスプリッタ１２へ出力する。
【００３０】
上述のような構成により、ｘＤＳＬシステム１では、同一の電話回線を共用して、通話およびデータ通信をそれぞれ独立に行なうことができる。
【００３１】
図２は、この発明の実施の形態１に従うｘＤＳＬ宅側装置１００の概略構成図である。
図２を参照して、ｘＤＳＬ宅側装置１００は、ＤＭＴ（Discrete Multi-Tone：離散マルチトーン）方式でデータ通信を行なう。そして、ｘＤＳＬ宅側装置１００は、エンコーダ２２と、変調器（ＩＦＦＴ）２４と、パラレル・シリアル（Ｐ／Ｓ）変換器２６と、デジタル・アナログ変換器（ＤＡＣ）２８と、ドライバ部３０と、ハイブリッド回路３２と、低雑音アンプ３４と、アナログ・デジタル変換器（ＡＤＣ）３６と、シリアル・パラレル（Ｓ／Ｐ）変換器３８と、復調器（ＦＦＴ）４０と、デコーダ４２と、制御部２０とからなる。
【００３２】
エンコーダ２２は、外部から受けた入力データを符号化し、さらに誤り検出符号を付加してデータ列を生成する。そして、エンコーダ２２は、制御部２０からそれぞれのサブキャリアに割当てるビット数およびビットレートについての制御指令を受けて、そのデータ列をそれぞれのサブキャリアに割当てる。さらに、エンコーダ２２は、それぞれのサブキャリアに割当てたデータを変調器２４へ出力する。なお、誤り検出符号には、たとえば、ＣＲＣ（Cyclic Redundancy Check）符号、パリティ符号、ハミング符号、ＢＣＨ（Bose-Chaudhuri-Hocquenghem）符号および畳み込み符号などを用いる。また、エンコーダ２２は、制御部２０からの制御指令を受けて、ｘＤＳＬ局側装置１０２との接続を遮断し、ｘＤＳＬ局側装置１０２のデコータとの間で、各サブキャリアにおける信号対雑音比の測定（トレーニング）を行なう。そして、エンコーダ２２は、トレーニングの終了後に、ｘＤＳＬ局側装置１０２と再接続する。
【００３３】
変調器２４は、エンコーダ２２からそれぞれのサブキャリアに割当てたデータを受けて、高速フーリエ逆変換（ＩＦＦＴ：Inverse Fast Fourier Transform）によりデジタル信号に変調する。そして、変調器２４は、変調したデジタル信号をパラレル・シリアル変換器２６へ出力する。
【００３４】
パラレル・シリアル変換器２６は、変調器２４から並列に出力される複数のデジタル信号を連続した直列のデジタル信号に変換して、デジタル・アナログ変換器２８へ出力する。
【００３５】
デジタル・アナログ変換器２８は、パラレル・シリアル変換器２６から受けたデジタル信号をアナログ信号に変換して、ドライバ部３０へ出力する。
【００３６】
ドライバ部３０は、デジタル・アナログ変換器２８から受けたアナログ信号を所定のレベルに増幅して、ハイブリッド回路３２へ出力する。
【００３７】
ハイブリッド回路３２は、ドライバ部３０から受けたアナログ信号をデータ信号として、ＰＯＴＳスプリッタ４および電話回線８を介して電話局１０へ送出する。また、ハイブリッド回路３２は、電話局１０から電話回線８およびＰＯＴＳスプリッタ４を介して受信したデータ信号を低雑音アンプ３４へ出力する。すなわち、ハイブリッド回路３２は、電話局１０へ送信するデータ信号と電話局１０から受信するデータ信号とをアイソレーションする。
【００３８】
低雑音アンプ３４は、ハイブリッド回路３２から受けたデータ信号を所定のレベルに調整した後、アナログ・デジタル変換器３６へ出力する。
【００３９】
アナログ・デジタル変換器３６は、低雑音アンプ３４から受けたデータアナログ信号であるデータ信号をデジタル信号に変換して、シリアル・パラレル変換器３８へ出力する。
【００４０】
シリアル・パラレル変換器３８は、アナログ・デジタル変換器３６から直列に出力される連続したデジタル信号をサブキャリア毎に並列のデジタル信号に変換して、復調器４０へ出力する。
【００４１】
復調器４０は、シリアル・パラレル変換器３８から受けたデジタル信号を高速フーリエ変換（ＦＦＴ：Fast Fourier Transform）により、それぞれのサブキャリアに割当てられたデータへデジタル復調する。そして、復調器４０は、復調したデータをデコーダ４２へ出力する。
【００４２】
デコーダ４２は、復調器４０から受けたそれぞれのサブキャリアに割当てられたデータを元のデータ列に復元する。そして、デコーダ４２は、復元したデータ列に付加されている誤り検出符号に基づいて、受信したデータ列に伝送誤りが生じているか否かを判断し、伝送誤りが生じていない、すなわち正常に受信できたデータ列だけを外部へ出力する。さらに、デコーダ４２は、観測した伝送誤り量を制御部２０へ出力する。
【００４３】
制御部２０は、デコーダ４２から受けた伝送誤り量が所定の値を超過する場合には、それぞれのサブキャリアに割当てるビット数およびビットレートを抑制する制御指令、または、ｘＤＳＬ局側装置１０２との接続を遮断する制御指令をエンコーダ２２へ与える。
【００４４】
さらに、制御部２０は、デコーダ４２から受けた伝送誤り量の時間的な変化を観測し、その伝送誤り量の時間的な変化が回線交換手順に応じた所定のパターンに一致するか否かを判断する。そして、制御部２０は、伝送誤り量の時間的な変化が所定のパターンに一致すると、回線交換手順の発生と判断し、エンコーダ２２への制御指令の出力を抑制する。よって、回線交換手順が発生した場合には、伝送誤り量が増加しても、エンコーダ２２は、伝送速度の抑制および接続の遮断を行なわない。
【００４５】
なお、ｘＤＳＬ局側装置１０２は、上述したｘＤＳＬ宅側装置１００と同様の構成であるので、詳細な説明は繰返さない。
【００４６】
（回線交換手順）
再度、図１を参照して、電話機６から他の電話機へ発信して通話を開始する場合の回線交換手順について説明する。
【００４７】
ユーザが発信先を特定するため電話番号を入力すると、電話機６は、入力された電話番号に応じた選択信号を電話交換機１４へ送出する。選択信号を受信した電話交換機１４は、交換機回線網の経路制御を行ない、送信先の電話機が接続されている電話交換機と接続する。そして、送信先の電話機が接続されている電話交換機は、着信を通知する呼出信号を送信先の電話機へ送出する。送信先のユーザが受話器を上げると、送信先の電話機は、端末応答信号を自己が接続されている電話交換機へ送出する。そして、送信先の電話機が接続されている電話交換機は、送信先の電話機から受けた端末応答信号を電話交換機１４へ送出し、電話交換機１４は、発信先との接続が完了したことを通知する応答信号を電話機６へ送出する。このような手順に従い、電話機６は他の電話機との通話を開始する。
【００４８】
なお、他の電話機から電話機６へ発信して通話を開始する場合には、上述と逆の手順が実行されるので、詳細な説明は繰返さない。
【００４９】
上述のような回線交換手順を実現するために、電話機６と電話交換機１４との間には、電話回線８を介して直流回路が形成され、電話交換機１４から所定の直流電圧が供給される。そして、電話機６は、直流回路を開または閉することで電話交換機１４へ信号を送出し、電話交換機１４は、直流回路に交流信号を重畳し、または印加直流電圧を変化させることで電話機６へ信号を送出する。
【００５０】
次に、回線交換手順におけるそれぞれの信号について説明する。
選択信号には、パルス信号またはトーン信号が用いられる。パルス信号は、電話機６が直流回路を断続することにより発生する信号であり、単位時間に断続する回数およびその時間比率が定められている。トーン信号は、異なる２つの周波数を含む交流信号であり、各符号に割当てられる２つの周波数の組合せが定められている。
【００５１】
呼出信号は、電話交換機１４が断続させた交流信号を直流回路に重畳することにより発生する信号であり、交流信号の電圧および周波数、単位時間に断続する回数ならびにその時間比率が定められている。
【００５２】
端末応答信号は、電話機６が電話交換機１４との間の直流回路を閉じて所定の値以下の抵抗値を形成することにより発生する信号である。
【００５３】
応答信号は、電話交換機１４が電話機６へ供給する電圧の極性を反転することにより発生する信号である。
【００５４】
上述した回線交換手順における信号のうち、呼出信号は、その電圧値が高いので、ＰＯＴＳスプリッタ４を通過してデータ信号に混入する場合がある。また、応答信号は、電話交換機１４が供給する電圧が大きく変化するので、ＰＯＴＳスプリッタ４を通過してデータ信号に混入する場合がある。このように、呼出信号または応答信号がデータ信号に混入すると、受信データが正しく復調できず、伝送誤りが生じる。
【００５５】
ところで、回線交換手順は、電話機同士が接続を確立しようとする場合にのみ発生するので、伝送誤りが生じるのは短時間である。よって、たとえば、漏話雑音を原因とする伝送誤りのように継続的に生じることはない。
【００５６】
そこで、ｘＤＳＬ宅側装置１００は、回線交換手順の発生に伴う伝送誤りに対しては、何らの処理も行なわず、データ通信を継続する。そのため、回線交換手順が終了すると同時に、伝送誤りの発生も減少するので、ｘＤＳＬ宅側装置１００は、即座に回線交換手順の発生前と同程度の通信速度を発揮する。
【００５７】
（回線交換手順の検出）
上述したように、呼出信号は、交流信号を断続した信号であり、応答信号は、供給する電圧の極性を反転する信号である。そのため、回線交換手順の発生中における伝送誤り量は、これらの信号の変化に応じて変動する。そこで、ｘＤＳＬ宅側装置１００は、伝送誤り量の時間的な変化に基づいて、回線交換手順の発生を検出する。
【００５８】
図３は、伝送誤りの発生要因別に伝送誤り量の時間的な変化を示す図である。なお、図３では、ｘＤＳＬ局側装置１０２は、毎秒あたり１８０個のフレームを送信し、それぞれのフレームに誤り検出符号を付加する。すなわち、図３は、ｘＤＳＬ宅側装置１００が受信する毎秒あたり１８０個のフレームのうち、伝送誤りが生じたフレームの量を示すものである。
【００５９】
図３を参照して、隣接する他の電話回線などから侵入する漏話雑音は、継続的に発生する。そのため、漏話雑音により生じる伝送誤り量は、時間的にほぼ一定となる。一方、応答信号により生じる伝送誤り量は、応答信号の断続に応じて、時間的に変動する。
【００６０】
したがって、伝送誤り量の時間的な変動を観測することで、回線交換手順の発生による伝送誤りか、それ以外の継続的な伝送誤りかを判断できる。
【００６１】
再度、図２を参照して、制御部２０は、デコーダ４２から受けた伝送誤りの発生量の時間的な変動を観測し、回線交換手順の発生を検出する。そして、制御部２０は、回線交換手順の発生を検出すると、現在の通信状態を維持するために、エンコーダ２２への制御指令の出力を抑制する。
【００６２】
図４は、制御部２０が回線交換手順の発生を検出するフローチャートである。
図４を参照して、制御部２０は、デコーダ４２から受けた伝送誤りの発生数をカウントする（ステップＳ１００）。そして、制御部２０は、所定の観測周期に達したか否かを判断する（ステップＳ１０２）。所定の観測周期に達していない場合（ステップＳ１０２においてＮＯの場合）には、制御部２０は、伝送誤りの発生数のカウントを継続する（ステップＳ１００）。所定の観測周期に達している場合（ステップＳ１０２においてＹＥＳの場合）には、制御部２０は、カウントした伝送誤りの発生数が所定のしきい値を超えているか否かを判断する（ステップＳ１０４）。所定のしきい値を超えている場合（ステップＳ１０４においてＹＥＳの場合）には、制御部２０は、伝送誤り量「多」と判定する（ステップＳ１０６）。所定のしきい値を超えていない場合（ステップＳ１０４においてＮＯの場合）には、制御部２０は、伝送誤り量「少」と判定する（ステップＳ１０８）。
【００６３】
そして、制御部２０は、前回の判断において伝送誤り量「少」で、かつ、今回の判断において伝送誤り量「多」であるか否かを判断する（ステップＳ１１０）。前回の判断において伝送誤り量「少」で、かつ、今回の判断において伝送誤り量「多」である場合（ステップＳ１１０においてＹＥＳの場合）には、制御部２０は、「誤り量増加」のイベント発生と判定する（ステップＳ１１２）。前回の判断において伝送誤り量「少」で、かつ、今回の判断において伝送誤り量「多」でない場合（ステップＳ１１０においてＮＯの場合）には、制御部２０は、「誤り量増加」のイベント発生と判定しない。
【００６４】
さらに、制御部２０は、過去の所定の期間内において、「誤り量増加」のイベントが所定の回数以上発生しているか否かを判断する（ステップＳ１１４）。「誤り量増加」のイベントが所定の回数以上発生している場合（ステップＳ１１４においてＹＥＳの場合）には、制御部２０は、回線交換手順の発生と判定する（ステップＳ１１６）。「誤り量増加」のイベントが所定の回数以上発生していない場合（ステップＳ１１４においてＮＯの場合）には、制御部２０は、回線交換手順の発生と判定しない。
【００６５】
さらに、制御部２０は、過去の所定の期間内において、伝送誤り量「少」の状態が継続しているか否かを判断する（ステップＳ１１８）。伝送誤り量「少」の状態が継続していない場合（ステップＳ１１８においてＮＯの場合）には、制御部２０は、再度、伝送誤りの発生数をカウントする（ステップＳ１００）。そして、制御部２０は、伝送誤り量「少」の状態が継続するまで（ステップＳ１１８においてＹＥＳとなるまで）、上述のステップＳ１００，Ｓ１０２，Ｓ１０４，Ｓ１０６，Ｓ１０８，Ｓ１１０，Ｓ１１２，Ｓ１１４，Ｓ１１６の処理を繰返す。
【００６６】
上述の説明では、主として、ｘＤＳＬ宅側装置１００の機能について説明したが、ｘＤＳＬ局側装置１０２についても同様の機能を実現できることは言うまでもない。
【００６７】
また、上述の説明では、アナログ端末装置の一例として電話機の場合について説明したが、アナログ端末装置には、電話機のほかに、ＦＡＸおよびアナログモデムなどが含まれる。そして、いずれの装置であっても同様に適用できる。
【００６８】
なお、上述の実施の形態１においては、制御部２０がデコーダ４２から受けた伝送誤り量に基づいて、エンコーダ２２に対する制御指令を生成し、かつ、回線交換手順の発生を検出する構成について説明したが、この構成に限られることはない。すなわち、エンコーダ２２と異なる、別の伝送誤り検出部をさらに備え、制御部２０がその伝送誤り検出部から受けた伝送誤り量に基づいて、回線交換手順の発生を検出する構成としてもよい。
【００６９】
なお、ｘＤＳＬ宅側装置１００およびｘＤＳＬ局側装置１０２のいずれもが本発明にかかる機能を有する必要はなく、いずれか一方のみが本発明にかかる機能を有すれば、その効果を発揮することができる。
【００７０】
上述の実施の形態１においては、制御部２０は「検出手段」、「伝送制御手段」および「抑制手段」を構成する。
【００７１】
この発明の実施の形態１によれば、回線交換手順の発生を検出すると、伝送速度の抑制や接続の遮断といった伝送誤りに対する処理を行なわない。そのため、回線交換手順が終了すると、即座に回線交換手順の発生前と同様の通信状態に回復する。よって、一時的に発生する回線交換手順による影響を排除することで、全体としての通信速度を向上または維持することができる。
【００７２】
また、この発明の実施の形態１によれば、伝送誤り量の時間的な変化に基づいて、回線交換手順の発生を検出する。そのため、電話回線などに新たに回線交換手順を検出する装置を設ける必要がなく、構成が簡素化できる。さらに、回線交換手順の変更または追加が生じた場合にも、それに応じて、伝送誤り量の時間的な変化を判定する論理を変更または追加すればよく、ソフト的な対応が可能である。よって、回線交換手順の発生を検出できる、低コスト、かつ柔軟性のある通信装置を実現できる。
【００７３】
［実施の形態２］
図５は、この発明の実施の形態２に従うｘＤＳＬ宅側装置２００の概略構成図である。
【００７４】
図５を参照して、ｘＤＳＬ宅側装置２００は、図２に示すｘＤＳＬ宅側装置１００において、制御部２０を制御部５０に代え、検出部５２をさらに設けたものである。
【００７５】
検出部５２は、電話回線８上の分岐部５４と接続され、電話回線８を伝搬する信号を監視する。そして、検出部５２は、電話回線８における電圧変動およびその周波数に基づいて、回線交換手順に伴う、呼出信号または応答信号が発生したか否かを判断する。そして、検出部５２は、呼出信号または応答信号の発生を検出すると、検出信号を制御部５０へ出力する。
【００７６】
制御部５０は、検出部５２から検出信号を受けると、伝送速度の抑制や接続の遮断などの伝送誤りに対する制御指令の出力を抑制する。
【００７７】
上述したように、応答信号は、電話交換機１４が電話機６へ供給する電圧の極性を反転することにより発生する信号である。そのため、応答信号による伝送誤りは瞬間的に生じ、伝送誤り量の時間的な変化も急峻となる。
【００７８】
検出部５２は、電話回線８上の信号を直接監視するため、伝送誤り量の時間的変化を観測する場合に比較して、回線交換手順の発生をより高速に判断する。そのため、検出部５２は、瞬間的に発生する応答信号についても確実に検出できる。
【００７９】
［実施の形態２の変形例］
図６は、この発明の実施の形態２の変形例に従うｘＤＳＬ宅側装置３００の概略構成図である。
【００８０】
図６を参照して、ｘＤＳＬ宅側装置３００は、図５に示すｘＤＳＬ宅側装置２００において、検出部５２が電話回線８を伝搬する信号を監視する位置を変更したものである。すなわち、検出部５２は、ＰＯＴＳスプリッタ４と電話機６との間の分岐部５６と接続され、伝搬する音声信号を監視する。回線交換手順に伴い発生する信号の大部分は、ＰＯＴＳスプリッタ４で分離され音声信号として出力されるので、検出部５２は、音声信号を監視することで、回線交換手順に伴う信号が発生したか否かを判断できる。
【００８１】
上述の実施の形態２においては、検出部５２は「検出手段」を構成し、制御部２０は「伝送制御手段」および「抑制手段」を構成する。
【００８２】
この発明の実施の形態２によれば、電話回線上の信号を監視することにより、直接的に回線交換手順の発生を検出するので、検出時間を短縮できる。よって、伝送速度の抑制や接続の遮断といった伝送誤りに対する処理が実行される前に、その処理を抑制することができる。
【００８３】
［その他の形態］
上述の実施の形態１および２においては、複数のサブキャリアを用いてデータ伝送を行なうＤＴＭ方式の通信装置について説明したが、バンド単位に割当てられた単一のキャリアを用いてデータ伝送を行なうＱＡＭ（Quadratic Amplitude Modulation）方式の通信装置についても同様に適用できる。
【００８４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【００８５】
【図１】この発明の実施の形態１に従うｘＤＳＬシステムの概略構成図である。
【図２】この発明の実施の形態１に従うｘＤＳＬ宅側装置の概略構成図である。
【図３】伝送誤りの発生要因別に伝送誤り量の時間的な変化を示す図である。
【図４】制御部が回線交換手順の発生を検出するフローチャートである。
【図５】この発明の実施の形態２に従うｘＤＳＬ宅側装置の概略構成図である。
【図６】この発明の実施の形態２の変形例に従うｘＤＳＬ宅側装置の概略構成図である。
【符号の説明】
【００８６】
１  ｘＤＳＬシステム、２  加入者宅、４，１２  ＰＯＴＳスプリッタ、６  電話機、８  電話回線、１０  電話局、１４  電話交換機、２０，５０  制御部、２２  エンコーダ、２４  変調器（ＩＦＦＴ）、２６  パラレル・シリアル（Ｐ／Ｓ）変換器、２８  デジタル・アナログ変換器（ＤＡＣ）、３０  ドライバ部、３２  ハイブリッド回路、３４  低雑音アンプ、３６  アナログ・デジタル変換器（ＡＤＣ）、３８  シリアル・パラレル（Ｓ／Ｐ）変換器、４０  復調器（ＦＦＴ）、４２  デコーダ、５２  検出部、５４，５６  分岐部、１００，２００，３００  宅側装置、１０２  ｘＤＳＬ局側装置。
【図１】
2006319425.tif 000003
【図２】
2006319425.tif 000004
【図３】
2006319425.tif 000005
【図４】
2006319425.tif 000006
【図５】
2006319425.tif 000007
【図６】
2006319425.tif 000008